(57)【特許請求の範囲】
【請求項１】
室外機と、
室内機と、
冷媒の漏洩を検知する検知部と、
前記室外機に備えられる表示部と、
前記室外機に備えられ、ユーザが前記検知部の状態に関する情報である検知部状態情報の取得を指示するための操作を行う操作部と、
前記室外機に備えられるとともに、前記検知部状態情報を取得し、前記取得した検知部状態情報を前記表示部に表示させる点検処理部と、
を有し、
前記検知部状態情報は、前記検知部における故障の有無に関する情報である
ことを特徴とする空気調和機。
【請求項２】
請求項１に記載の空気調和機であって、
前記検知部状態情報は、前記検知部の有無に関する情報を、さらに有する
ことを特徴とする空気調和機。
【請求項３】
請求項１から請求項２のいずれか一項に記載の空気調和機であって、
前記検知部は、複数備えられており、
個々の前記検知部から、前記検知部状態情報を取得する制御部と
を有し、
前記操作部が操作される毎に、前記表示部の表示が、現在表示されている検知部状態情報から、他の検知部状態情報に遷移する
ことを特徴とする空気調和機。
【請求項４】
請求項１から請求項３のいずれか一項に記載の空気調和機であって、
前記室内機は、少なくとも１台備えられており、
前記検知部は、各室内機に備えられている
ことを特徴とする空気調和機。
【請求項５】
請求項１から請求項４のいずれか一項に記載の空気調和機であって、
前記点検処理部は、
前記点検処理部自身が備えられている前記室外機の点検結果を表示する
ことを特徴とする空気調和機。
【請求項６】
請求項１から請求項５のいずれか一項に記載の空気調和機であって、
前記空気調和機の電源がオンになると、前記検知部状態情報を取得する制御部
を有することを特徴とする空気調和機。
【発明の詳細な説明】
【技術分野】
【０００１】
本発明は、冷媒センサを搭載している空気調和機の技術に関する。
【背景技術】
【０００２】
空気調和機から可燃性の冷媒が漏洩することは好ましくない。
このような空気調和機における冷媒の防止手段として、特許文献１に記載の技術が開示されている。特許文献１には、「室内側冷媒センサ１２が冷媒の漏洩を検知したときに、通常の冷暖房運転を停止するとともに、風向制御手段１４で空気吹出し口を塞ぎ、また、室内ファン１３を運転して、排出機構１５より室内機内部の漏洩冷媒を室外に排出するよう構成したことにより、室内機から冷媒が漏洩したときに、確実に漏洩冷媒による室内の可燃領域の形成を防ぐことができる。」という空気調和機が開示されている（要約参照）。
【先行技術文献】
【特許文献】
【０００３】
【特許文献１】特開２００１−３３６８４１号公報
【発明の概要】
【発明が解決しようとする課題】
【０００４】
特許文献１に記載の技術では、冷媒センサが冷媒漏洩を検知したときに異常状態を表示するが、冷媒センサが故障した場合の報知については考慮されていない。従って、特許文献１に記載の技術では、冷媒センサが故障している場合、冷媒漏洩が検知できず、その結果、正しく冷媒漏洩を報知できないおそれがある。
また、特許文献１に記載の技術を始め、従来の技術では、室内機の状態を室外から確認する手段がないため、点検者が室内機の冷媒センサを点検する際には、点検者が室内に立ち入らなければならないという課題がある。
【０００５】
このような背景に鑑みて本発明がなされたのであり、本発明は、点検者が室内に立ち入ることなく、冷媒センサの状態を確認できることを課題とする。
【課題を解決するための手段】
【０００６】
前記した課題を解決するため、本発明は、室外機と、室内機と、冷媒の漏洩を検知する検知部と、前記室外機に備えられる表示部と、前記室外機に備えられ、ユーザが前記検知部の状態に関する情報である検知部状態情報の取得を指示するための操作を行う操作部と、前記室外機に備えられるとともに、前記検知部状態情報を取得し、前記取得した検知部状態情報を前記表示部に表示させる点検処理部と、を有し、前記検知部状態情報は、前記検知部における故障の有無に関する情報であることを特徴とする。
その他の解決手段については実施形態中に記載する。
【発明の効果】
【０００７】
本発明によれば、点検者が室内に立ち入ることなく、冷媒センサの状態を確認できる。
【図面の簡単な説明】
【０００８】
【図１】本発明に係る空気調和機の構成を示す図である。
【図２】本実施形態に係る室外機用制御装置の構成例を示す機能ブロック図である。
【図３】本実施形態に係る室外機用制御装置における点検操作装置の外観図である。
【図４】は、本実施形態に係る冷媒センサの点検結果表示を示す図であり、（ａ）〜（ｃ）は各室内機に搭載されている冷媒センサの状態を示している。
【図５】本実施形態に係る点検部の処理手順を示すフローチャートである。
【図６】室外機用制御装置の自己診断処理における表示装置の変化を示す図であり、（ａ）〜（ｄ）は室外機用制御装置に搭載されている各制御回路の状態を示している。
【図７】本実施形態の変形例に係る空気調和機の構成例を示す図である。
【図８】本変形例における冷媒センサの点検結果表示を示す図であり、（ａ）〜（ｃ）は各室内機に搭載されている冷媒センサの状態を示しており、（ｄ）は室外機に搭載されている冷媒センサの状態を示している。
【図９】本実施形態における別の変形例に係る空気調和機の構成例を示す図である。
【図１０】本変形例における冷媒センサ２２の点検結果表示を示す図であり、（ａ）〜（ｃ）は各室内機に搭載されている冷媒センサの状態を示しており、（ｄ）は室外機に搭載されている冷媒センサの状態を示しており、（ｅ）〜（ｇ）は冷媒配管に取り付けられている冷媒センサの状態を示している。
【発明を実施するための形態】
【０００９】
次に、本発明を実施するための形態（「実施形態」という）について、適宜図面を参照しながら詳細に説明する。
（空気調和機Ｚ）
図１は、本発明に係る空気調和機の構成を示す図である。
図１に示すように、空気調和機Ｚは、１台の室外機１と、少なくとも１台（図１の例では３台）の室内機２（２ａ〜２ｃ）で構成されている。室外機１と、各室内機２とは通信線３と冷媒配管４で各々が接続されている。図１の例では室内機２は３台であるが、１台以上の室内機２を有する構成であればよい。冷媒は、冷媒配管４を介して、室外機１と、各室内機２とを循環している。なお、室外機１から流出した冷媒は、図示しない冷媒分配装置によって、室内機２ａ〜２ｃのそれぞれに分配される。
【００１０】
室外機１は室外機用制御装置１１を有している。室外機用制御装置１１については、後記して説明する。
各室内機２ａ〜２ｃは室内機用制御装置２１（２１ａ〜２１ｃ）を有している。そして、室内機２のうち、室内機２ａ及び室内機２ｂは、検知部としての冷媒センサ２２（２２ａ，２２ｂ）を有しているが、室内機２ｃは冷媒センサ２２を有していない。なお、冷媒センサ２２は、室内機２における冷媒の漏洩を検知するセンサである。
【００１１】
室内機用制御装置２１は、風量調節等、室内機２における様々な制御を行うとともに、冷媒センサ２２の搭載有無と、冷媒センサ２２が搭載されている場合には故障有無を検知することができる。そして、室内機用制御装置２１は、通信線３を介して、冷媒センサ２２の状態に関する情報（検知部状態情報）として、冷媒センサ２２の搭載有無と、冷媒センサ２２が搭載されている場合には故障有無に関する情報（以下、冷媒センサ情報と称する）を室外機用制御装置１１へ送る。
【００１２】
（室外機用制御装置１１の機能ブロック図）
図２は、本実施形態に係る室外機用制御装置の構成例を示す機能ブロック図である。
図２に示すように、室外機用制御装置１１は、ＲＯＭ（Read Only Memory）等のメモリ１１０、ＣＰＵ（Central Processing Unit）１４０、通信装置１３０、点検操作装置１２０、複数の制御回路１５０（１５０ａ〜１５０ｄ）を有している。
ここで、制御回路１５０は、室外機１におけるファンを制御するための回路や、圧縮機のモータを制御するための回路といった室外機１を構成する各部を制御するための回路である。
【００１３】
点検操作装置１２０は、図２に示すように操作部としての操作装置１２１及び表示部としての表示装置１２２を有している。なお、図２では、電源ボタン２２０（図３参照）を図示省略している。点検操作装置１２０については後記する。
通信装置１３０は、通信線３を介して室内機用制御装置２１から冷媒センサ２２の状態に関する情報（冷媒センサ情報）等を受信する。
【００１４】
メモリ１１０では、プログラムがＣＰＵ１４０によって実行されることで、制御部１１１、自己診断処理部１１２及び点検処理部１１３が具現化している。
制御部１１１は、制御回路１５０の制御や、室内機用制御装置２１からの冷媒センサ情報の受信、自己診断処理部１１２及び点検処理部１１３の起動等を行う。
自己診断処理部１１２は、室外機用制御装置１１の各制御回路１５０における故障の有無を診断し、診断結果を表示装置１２２に表示する。詳細は後記する。なお、当該自己診断処理部１１２を有する室外機用制御装置１１は公知の技術である。
点検処理部１１３は、操作装置１２１の入力に従って、室内機２に設けられている冷媒センサ２２の状態を表示装置１２２に表示するものであり、本実施形態の特徴部分である。自己診断処理部１１２を有する室外機用制御装置１１に、点検処理部１１３を搭載することにより、これまで使用されてきた室外機用制御装置１１を利用することができるので、コスト削減を行うことができる。
【００１５】
（点検操作装置１２０の外観図）
図３は、本実施形態に係る室外機用制御装置における点検操作装置の外観図である。
点検操作装置１２０は、操作装置１２１と表示装置１２２と電源ボタン２２０とが設けられている。
電源ボタン２２０が押下されることにより点検操作装置１２０の電源がオンとなる。
表示装置１２２は、４つの表示器（表示部）２０１（２０１ａ〜２０１ｄ）で構成されている。表示器２０１としては７セグメントＬＥＤ（Light Emitting Diode：以下、ＬＥＤと称する）を使用し、図３の例では、４つの表示器２０１ａ〜２０１ｄで構成されている。なお、表示器２０１として使用されるＬＥＤは７セグメントＬＥＤに限らないし、液晶等、情報を表示可能であれば、ＬＥＤに限らない。また、表示器２０１の数は４つに限らない。
【００１６】
また、操作装置１２１はボタンスイッチを使用し、４つのボタン（操作部）２１１（２１１ａ〜２１１ｄ）で構成される。なお、操作装置１２１を構成するものはボタンスイッチに限らないし、ボタン２１１の数が４つでなくてもよい。
また、点検操作装置１２０は、室外機１の内部、具体的には電気箱に備えられていることが望ましいが、室外機１の筺体等に設けられていてもよい。
【００１７】
（冷媒センサ２２の点検結果）
図４は、本実施形態に係る冷媒センサの点検結果表示を示す図であり、（ａ）〜（ｃ）は各室内機に搭載されている冷媒センサの状態を示している。適宜、図１、図３を参照する。なお、図４に示す表示例は、図５のステップＳ１２３における冷媒センサ点検処理で表示されるものである。
ユーザがある決められた手順で点検操作装置１２０の操作を行うことにより、点検処理部１１３が、室内機２ａ〜２ｃにおける冷媒センサ２２の搭載有無と、冷媒センサ２２が搭載されている場合には冷媒センサ２２の故障有無についての点検結果を表示器２０１に表示する。
ここでは、図３のボタン２１１ａ及びボタン２１１ｂが同時に押下されることで、各冷媒センサ２２の点検結果が表示器２０１ａ〜２０１ｄに表示される。すなわち、ボタン２１１ａ及びボタン２１１ｂが同時に押下されることで、点検処理部１１３が起動し、操作装置１２１及び表示装置１２２が冷媒センサ点検モードとなる。なお、冷媒センサ点検モードへの移行操作は、ボタン２１１ａ及びボタン２１１ｂが同時に押下されることに限らない。
【００１８】
図４に示すように、表示器２０１ａ〜２０１ｄのそれぞれで表示される内容は、予め定められている。つまり、表示器２０１ａ及び表示器２０１ｂには、冷媒センサ２２の点検を示す固有文字が表示される。ここでは、一例として、表示器２０１ａに冷媒を示す「ｒ」が表示され、表示器２０１ｂにセンサを示す「Ｓ」が表示されている。表示器２０１ｃには、複数の室内機２のうち、どの室内機２に関する情報が表示されているかを示す情報が表示されている。ここでは、一例として、室内機２ａが「ａ」（図４（ａ）参照）、室内機２ｂが「ｂ」（図４（ｂ）参照）、室内機２ｃが「ｃ」（図４（ｃ）参照）と表示されている。
【００１９】
表示器２０１ｄには点検結果を示す情報が表示されている。ここでは、一例として、判定結果正常が「Ｏ」（図４（ａ）参照）、判定結果異常が「Ｅ」（図４（ｂ）参照）、冷媒センサ２２の非搭載が「−」（図４（ｃ）参照）として表示されている。
つまり、図４（ａ）では、表示器２０１ａ〜２０１ｄに、室内機２ａの冷媒センサ２２ａが正常に動作していることを示す「ｒＳａ○」が表示されている。そして、図４（ｂ）では、表示器２０１ａ〜２０１ｄに、室内機２ｂの冷媒センサ２２ｂが異常であることを示す「ｒＳｂＥ」が表示されている。また、図４（ｃ）では、表示器２０１ａ〜２０１ｄに、室内機２ｃには冷媒センサ２２が搭載されていないことを示す「ｒＳｃ−」が表示されている。
【００２０】
また、図３におけるボタン２１１ｃが押下される毎に、表示器２０１ａ〜２０１ｄにおける表示が、図４（ａ）→図４（ｂ）→図４（ｃ）→図４（ａ）→・・・の順に遷移する。点検処理部１１３は、各室内機用制御装置２１から取得し、メモリ１１０に一次保存している各冷媒センサ情報のうち、現在の表示対象となっている冷媒センサ情報を読み込んで、表示装置１２２に表示することで、図４に示す表示が行われる。なお、表示の遷移操作は、ボタン２１１ｃが押下されることに限らない。
このように、所定の手順（ここでは、ボタン２１１ｃを押下）で、表示器２０１における表示が各室内機２に関する情報に遷移することで、空気調和機Ｚに備えられているすべての室内機２に関する冷媒センサ２２の点検結果を確認することができる。
これまでの自己診断処理を実行可能な室外機用制御装置１１に、図２に示す点検処理部１１３を追加することで、前記したように既に用いられている室外機用制御装置１１を利用することができ、コスト低減を図ることができる。
【００２１】
（処理手順）
図５は、本実施形態に係る点検部の処理手順を示すフローチャートである。適宜、図１〜図３を参照する。
まず、空気調和機Ｚの電源がオンされると（Ｓ１０１）、制御部１１１は通信線３を介して、各室内機用制御装置２１から冷媒センサ２２に関する情報（冷媒センサ情報）を取得する（Ｓ１０２）。制御部１１１は、取得した冷媒センサ情報をメモリ１１０に一次保存する。具体的には、制御部１１１は、各室内機用制御装置２１に冷媒センサ情報を送るよう通信線３を介して指示し、該指示を受けた各室内機用制御装置２１は、冷媒センサ２２の状態に関する情報を取得すると、該情報を冷媒センサ情報として室外機用制御装置１１へ送る。なお、冷媒センサ情報には、冷媒センサ２２が搭載されている室内機２の識別情報、冷媒センサ２２の搭載有無に関する情報、冷媒センサ２２の故障有無に関する情報等が格納されている。
【００２２】
また、本実施形態では、空気調和機Ｚの電源オン時に制御部１１１が冷媒センサ情報を取得する構成としたが、他にも、（１）点検操作装置１２０の電源がオン、（２）所定時間毎、（３）点検者が冷媒センサ点検モードへの切り替えを行った時（すなわち、ボタン２１１ａと、ボタン２１１ｂとを同時に押下した時）等のタイミングで、制御部１１１が冷媒センサ情報を取得することが考えられる。
【００２３】
その後、制御部１１１は、点検操作装置１２０の電源ボタン２２０が押下されることにより、点検操作装置１２０の電源がオンされたか否を判定する（Ｓ１１１）。
ステップＳ１１１の結果、点検操作装置１２０の電源がオンされていない場合（Ｓ１１１→Ｎｏ）、制御部１１１はステップＳ１１１へ処理を進める。
ステップＳ１１１の結果、点検操作装置１２０の電源がオンされた場合（Ｓ１１１→Ｙｅｓ）、制御部１１１は自己診断処理部１１２を起動し、起動された自己診断処理部１１２が後記する室外機用制御装置１１の自己診断処理を行い（Ｓ１１２）、制御部１１１はステップＳ１２１へ処理を進める。なお、自己診断処理部１１２は、自己診断処理の終了後、実行終了してもよいし、点検操作装置１２０の電源がオフされるまで実行され続けてもよい。
【００２４】
ステップＳ１２１において、制御部１１１は、点検モードが変更されたか否かを判定する。具体的には、例えば、ボタン２１１ａと、ボタン２１１ｂとが同時に押下されたか否かである。
ステップＳ１２１の結果、点検モードが変更されていない場合（Ｓ１２１→Ｎｏ）、すなわち、点検モードが自己診断モードのままの場合、制御部１１１は、点検操作装置１２０の電源ボタン２２０が押下されたことにより、点検操作装置１２０の電源がオフとなったか否かを判定する（Ｓ１２２）。
ステップＳ１２２の結果、点検操作装置１２０の電源がオフになっていない場合（Ｓ１２２→Ｎｏ）、制御部１１１は、ステップＳ１１２へ処理を戻す。
ステップＳ１２２の結果、点検操作装置１２０の電源がオフになった場合（Ｓ１２２→Ｙｅｓ）、制御部１１１は点検処理を終了する。
【００２５】
ステップＳ１２１の結果、点検モードが変更された場合、すなわち、冷媒センサ点検モードへ移行した場合（Ｓ１２１→Ｙｅｓ）、制御部１１１は、点検処理部１１３を起動し、起動された点検処理部１１３が図４に示す冷媒センサ点検処理を行う（Ｓ１２３）。前記したように、点検処理部１１３が、メモリ１１０に一次保存されている冷媒センサ情報を読み込んで、読み込んだ冷媒センサ情報を表示装置１２２に表示する。なお、図４に示すように、ボタン２１１ｃが押下される毎に、点検処理部１１３は、表示対象となっている冷媒センサ情報を読み込んで、表示装置１２２に表示する。また、点検処理部１１３は、冷媒センサ点検処理の終了後、実行終了してもよいし、点検操作装置１２０の電源がオフされるまで実行され続けてもよい。
【００２６】
次に、制御部１１１は、点検モードが変更されたか否かを判定する（Ｓ１３１）。具体的には、ボタン２１１ａと、ボタン２１１ｂとが同時に押下されたか否かである。
ステップＳ１３１の結果、点検モードが変更された場合（Ｓ１３１→Ｙｅｓ）、すなわち、点検モードが自己診断処理を行う自己診断モードへ変更された場合、制御部１１１は、ステップＳ１１２へ処理を戻す。
【００２７】
ステップＳ１３１の結果、点検モードが変更されていない場合（Ｓ１３１→Ｎｏ）、すなわち、点検モードが冷媒センサ点検モードのままの場合、制御部１１１は、点検操作装置１２０の電源ボタン２２０が押下されたことにより、点検操作装置１２０の電源がオフとなったか否かを判定する（Ｓ１３２）。
【００２８】
ステップＳ１３２の結果、点検操作装置１２０の電源がオフになっていない場合（Ｓ１３２→Ｎｏ）、制御部１１１は、ステップＳ１２３へ処理を戻す。
ステップＳ１３２の結果、点検操作装置１２０の電源がオフになった場合（Ｓ１３２→Ｙｅｓ）、制御部１１１は点検処理を終了する。
【００２９】
なお、図５のフローチャートでは、点検操作装置１２０の電源がオンされると、自己診断処理部１１２が起動し、デフォルトで点検モードが自己診断モードなるようになっているが、これに限らず、点検処理部１１３が起動し、デフォルトで点検モードが冷媒センサ点検モードとなるようにしてもよい。
【００３０】
（室外機用制御装置１１の自己診断処理）
図６は、室外機用制御装置の自己診断処理における表示装置の変化を示す図であり、（ａ）〜（ｄ）は室外機用制御装置に搭載されている各制御回路の状態を示している。適宜、図２及び図３を参照する。なお、図６に示す表示例は、図５のステップＳ１１２における自己診断処理で表示されるものである。
室外機用制御装置１１の自己診断処理は、ある決められた手順で点検操作装置１２０の操作を行うことにより特定の制御回路１５０の動作確認を行い、その動作確認の結果を表示装置１２２に表示する。なお、前記したように、この室外機用制御装置１１の自己診断処理は公知の技術である。
ここで、自己診断処理では４つの制御回路１５０ａ〜１５０ｄの動作確認が行われるものとする。図３におけるボタン２１１ａ〜２１１ｄがそれぞれ制御回路１５０ａ〜１５０ｄと対応している。すなわち、ボタン２１１ａが押下されると、室外機用制御装置１１の自己診断処理部１１２が制御回路１５０ａの動作確認を行う。同様に、ボタン２１１ｂが押下されると、自己診断処理部１１２が制御回路１５０ｂの動作確認を行う。そして、ボタン２１１ｃが押下されると、自己診断処理部１１２が制御回路１５０ｃの動作確認を行う。さらに、ボタン２１１ｄが押下されると、自己診断処理部１１２が制御回路１５０ｄの動作確認を行う。なお、表示の遷移操作は、ボタン２１１ａ〜２１１ｄのそれぞれが押下されることに限らない。また、図６に示す表示例は一例である。
【００３１】
すなわち、図６（ａ）は、制御回路１５０ａの判定結果である。すなわち、図６（ａ）は図３のボタン２１１ａが押下された結果、表示されるものである。
同様に、図６（ｂ）は、制御回路１５０ｂの判定結果である。すなわち、図６（ｂ）は図３のボタン２１１ｂが押下された結果、表示されるものである。
また、図６（ｃ）は、制御回路１５０ｃの判定結果である。すなわち、図６（ｃ）は図３のボタン２１１ｃが押下された結果、表示されるものである。
そして、図６（ｄ）は、制御回路１５０ｄの判定結果である。すなわち、図６（ｄ）は図３のボタン２１１ｄが押下された結果、表示されるものである。
【００３２】
ここで、図６に示すように、表示器２０１ａ〜２０１ｄで表示される内容は予め定められている。つまり、表示器２０１ａ及び表示器２０１ｂには、動作確認結果を示す固有文字（ここでは一例として、それぞれ「Ｃ」、「Ｈ」とする）が表示される。そして、表示器２０１ｃは、動作確認の対象となる制御回路１５０を示す情報が表示される。制御回路１５０を示す情報として、図６の例では、制御回路１５０ａが「１」（図６（ａ）参照）、制御回路１５０ｂが「２」（図６（ｂ）参照）、制御回路１５０ｃが「３」（図６（ｃ）参照）、制御回路１５０ｄが「４」（図６（ｄ）参照）としている。表示器２０１ｄでは動作確認判定結果を示す情報が表示される。図６の例では、判定結果正常が「Ｏ」（図６（ａ）、（ｂ）、（ｄ）参照）、判定結果異常が「−」（図６（ｃ）参照）と表示されている。
【００３３】
本実施形態に係る空気調和機Ｚによれば、室外機１に備えられる室外機用制御装置１１が点検処理部１１３を有することで、点検者が室内に立ち入ることなく、冷媒センサ２２の状態を確認できる。そして、故障を検知した場合、表示装置１２２にその旨を表示することで、冷媒センサ２２の部品交換が必要であることを点検者に知らせることが可能となり、点検の効率を向上させることが可能となる。
さらに、本実施形態に係る空気調和機Ｚは、室内機２に冷媒センサ２２が備えられていない場合、その旨を表示装置１２１に表示する。このようにすることで、点検者は冷媒センサ２２の点検を行う必要があるか否かを判断することが可能なり、点検の効率を向上させることができる。
【００３４】
また、本実施形態に係る空気調和機Ｚによれば、操作装置１２１が操作されると、表示される冷媒センサ２２の情報が遷移することにより、簡易な操作で各冷媒センサ２２の状態を検査することができる。
そして、本実施形態に係る空気調和機Ｚは、少なくとも１台の室内機２を有し、各室内機２に冷媒センサ２２が備えられている。このようにすることで、点検者は、室内に立ち入ることなく、室外から室内機２における冷媒センサ２２の状態を確認することができる。
【００３５】
また、自己診断処理部１１２を有する室外機用制御装置１１に点検処理部１１３を追加することで、室外機１に既に設置されている室外機用制御装置１１を利用することができ、コスト削減を図ることができる。
さらに、空気調和機Ｚの電源がオンになったときに、制御部１１１が冷媒センサ情報を取得することで、効率的に冷媒センサ情報を取得することができる。
【００３６】
＜変形例１＞
次に、図７及び図８を参照して、本実施形態に係る変形例の一例を示す。
図７は、本実施形態の変形例に係る空気調和機の構成例を示す図である。
図７に示す空気調和機Ｚａでは、室外機１ａが冷媒センサ２２ｄ（２２）を備えている点で、図１に示す空気調和機Ｚとは異なっている。それ以外は、図１に示す空気調和機Ｚと同様の構成であるため、同一の符号を付して説明を省略する。
【００３７】
図８は、本変形例における冷媒センサの点検結果表示を示す図であり、（ａ）〜（ｃ）は各室内機に搭載されている冷媒センサの状態を示しており、（ｄ）は室外機に搭載されている冷媒センサの状態を示している。適宜、図１、図３を参照する。なお、図８に示す表示例は、図５のステップＳ１２３における冷媒センサ点検処理で表示されるものである。
図８に示すように、本変形例では、ボタン２１１ｃが押下される毎に、図８（ａ）→図８（ｂ）→図８（ｃ）→図８（ｄ）→図８（ａ）→・・・と表示器２０１ａ〜２０１ｄの表示が遷移する。なお、表示の遷移操作は、ボタン２１１ｃが押下されることに限らない。
ここで、図８（ａ）〜図８（ｃ）に示す表示は、室内機２ａ〜２ｃにおける冷媒センサ２２ａ〜２２ｃの状態を示す表示であり、図４（ａ）〜図４（ｃ）と同様であるので、ここでの説明を省略する。
【００３８】
図８（ｄ）に示す表示は、室外機１ａにおける冷媒センサ２２ｄの状態を示すものである。
表示器２０１ａ及び表示器２０１ｂには、図４と同様、冷媒センサ２２ｄを示す固有文字「ｒＳ」が表示されている。そして、表示器２０１ｃには、室外機１ａを示す「ｏ」が表示されており、表示器２０１ｄには、冷媒センサ２２ｄの状態を示す情報が表示されている。図８（ｄ）に示す例では、表示器２０１ｄには「○」が表示されており、室外機１ａに搭載されている冷媒センサ２２ｄが正常に動作していることを示している。なお、室外機１ａに搭載されている冷媒センサ２２ｄが故障している場合、図４と同様、表示器２０１ｄに「Ｅ」が表示される。また、室外機１ａに冷媒センサ２２が搭載されていない場合、表示器２０１ｄに「−」が表示されてもよい。
【００３９】
このようにすることで、室外機１ａに搭載されている冷媒センサ２２ｄの状態も容易に検査することができる。
【００４０】
＜変形例２＞
次に、図９及び図１０を参照して、本実施形態に係る別の変形例を示す。
図９は、本実施形態における別の変形例に係る空気調和機の構成例を示す図である。
図９に示す空気調和機Ｚｂでは、冷媒配管４に冷媒センサ２２が取り付けられている点が図７に示す空気調和機Ｚａと異なっている。それ以外は、図７に示す空気調和機Ｚａと同様の構成であるため、同一の符号を付して説明を省略する。
また、冷媒配管４を、図９に示すように冷媒配管４ａ〜４ｃと区別することとする。すなわち、室外機１ａと室内機２ａ〜２ｃとの間を流れる冷媒が流通する冷媒配管４を冷媒配管４ａとする。また、室外機１ａと室内機２ｂ，２ｃとの間を流れる冷媒が流通する冷媒配管４を冷媒配管４ｂとする。そして、室外機１ａと室内機２ｃとの間を流れる冷媒が流通する冷媒配管４を冷媒配管４ｃとする。なお、室外機１ａと室内機２ａとの間を流れる冷媒が流通する冷媒配管４を冷媒配管４ａとし、室外機１ａと室内機２ｂとの間を流れる冷媒が流通する冷媒配管４を冷媒配管４ｂとし、室外機１ａと室内機２ｃとの間を流れる冷媒が流通する冷媒配管４を冷媒配管４ｃとしてもよい。
【００４１】
そして、冷媒配管４ａ〜４ｃには、冷媒センサ２２（２２ｅ〜２２ｇ）を備える配管監視装置３１（３１ａ〜３１ｃ）が設置されている。具体的には、冷媒配管４ａには、冷媒センサ２２ｅを備える配管監視装置３１ａが設置されている。同様に、冷媒配管４ｂには、冷媒センサ２２ｆを備える配管監視装置３１ｂが設置されている。そして、冷媒配管４ｃには、冷媒センサ２２ｇを備える配管監視装置３１ｃが設置されている。
【００４２】
配管監視装置３１は、自身に備えられている冷媒センサ２２の故障の有無に関する情報を、配管４ａ〜４ｃの識別情報とともに、通信線３を介して室外機用制御装置１１へ送信する。
【００４３】
図１０は、本変形例における冷媒センサ２２の点検結果表示を示す図であり、（ａ）〜（ｃ）は各室内機に搭載されている冷媒センサの状態を示しており、（ｄ）は室外機に搭載されている冷媒センサの状態を示しており、（ｅ）〜（ｇ）は冷媒配管に取り付けられている冷媒センサの状態を示している。適宜、図１、図３を参照する。なお、図１０に示す表示例は、図５のステップＳ１２３における冷媒センサ点検処理で表示されるものである。
図１０に示すように、本変形例では、例えば、ボタン２１１ｃが押下される毎に、図１０（ａ）→図１０（ｂ）→図１０（ｃ）→図１０（ｄ）→図１０（ｅ）→図１０（ｆ）→図１０（ｇ）→図１０（ａ）→・・・と表示器２０１ａ〜２０１ｄの表示が遷移する。なお、表示の遷移操作は、ボタン２１１ｃが押下されることに限らない。
図１０において、図１０（ａ）〜図１０（ｃ）は室内機２に搭載されている冷媒センサ２２の状態を示している。また、図１０（ｄ）は室外機１ａに搭載されている冷媒センサ２２の状態を示している。そして、図１０（ｅ）〜図１０（ｇ）は冷媒配管４に取り付けられている冷媒センサ２２の状態を示している。
【００４４】
図１０において、表示器２０１ａは室内機２、室外機１ａ、冷媒配管４の区別を示している。室内機２を示す場合、図１０（ａ）〜図１０（ｃ）に示すように表示器２０１ａには室内機２を示す「Ｉ」が表示される。室外機１ａを示す場合、図１０（ｄ）に示すように表示器２０１ａには室外機１ａを示す「ｏ」が表示される。そして、冷媒配管４を示す場合、図１０（ｅ）〜図１０（ｇ）に示すように表示器２０１ａには配管を示す「Ｐ」が表示される。
【００４５】
また、図１０において、表示器２０１ｂは、個々の室内機２及び個々の冷媒配管４の区別を示している。すなわち、図１０（ａ）では、室内機２ａを示す「ａ」が表示器２０１ｂに表示されており、図１０（ｂ）では、室内機２ｂを示す「ｂ」が表示器２０１ｂに表示されており、図１０（ｃ）では、室内機２ｃを示す「ｃ」が表示器２０１ｂに表示されている。
同様に、図１０（ｅ）では、冷媒配管４ａを示す「ａ」が表示器２０１ｂに表示されており、図１０（ｆ）では、冷媒配管４ｂを示す「ｂ」が表示器２０１ｂに表示されており、図１０（ｇ）では、冷媒配管４ｃを示す「ｃ」が表示器２０１ｂに表示されている。
なお、室外機１ａは、１台しか設置されておらず、区別不要であるので、図１０（ｄ）に示すように、表示器２０１ｂは非表示とする。
【００４６】
図１０の例では、表示器２０１ｃは非表示とする。
表示器２０１ｄには、冷媒センサ２２の状態が示され、正常「○」（図１０（ａ）、（ｄ）〜（ｆ）参照）、故障「Ｅ」（図１０（ｂ）、（ｇ）参照）、非搭載（図１０（ｃ）参照）が表示される。
【００４７】
以上のことを踏まえて、図１０に示す表示例をまとめると以下のようになる。図１０（ａ）は室内機２ａに搭載されている冷媒センサ２２ａが正常に動作していることを示している。図１０（ｂ）は室内機２ｂに搭載されている冷媒センサ２２ｂに故障が生じていることを示している。図１０（ｃ）は室内機２ｃには冷媒センサ２２が搭載されていないことを示している。図１０（ｄ）は室外機１ａに搭載された冷媒センサ２２ｄが正常に動作していることを示している。
【００４８】
図１０（ｅ）は冷媒配管４ａに取り付けられた冷媒センサ２２ｅが正常に動作していることを示している。図１０（ｆ）は冷媒配管４ｂに取り付けられた冷媒センサ２２ｆが正常に動作していることを示している。図１０（ｇ）は冷媒配管４ｃに取り付けられた冷媒センサ２２ｇに故障が生じていることを示している。
【００４９】
このようにすることで、冷媒配管４に取り付けられた冷媒センサ２２の故障を容易に検査することができる。
【００５０】
なお、図７〜図１０に示す表示は、図５のステップＳ１０２で、制御部１１１が室内機２から冷媒センサ情報を取得するとともに、室外機１ａや、冷媒配管４ａ〜ｃに取り付けられた冷媒センサ２２の情報（冷媒センサ情報）を取得し、メモリ１１０に一次保存することで実現可能である。
【００５１】
また、本実施形態では、室外機１や、各室内機２において、１つの冷媒センサ２２が搭載されていることを想定しているが、室外機１や、各室内機２において、複数の冷媒センサ２２が搭載されてもよい。この場合、ボタン２１１ｃが押下される毎に、各冷媒センサ２２の状態が表示されるようにしてもよい。
また、冷媒センサ２２は、室内機２、室外機１、冷媒配管４に限らず、室内の壁や、室内に設置されているリモコンに備えられていてもよい。
さらに、図４、図８及び図１０に示す表示例は一例であり、冷媒センサ２２の設置箇所や、冷媒センサ２２の故障の有無、冷媒センサ２２の搭載（設置）の有無が区別できれば、どのような表示でもよい。
【００５２】
本発明は前記した実施形態に限定されるものではなく、様々な変形例が含まれる。例えば、前記した実施形態は本発明を分かりやすく説明するために詳細に説明したものであり、必ずしも説明したすべての構成を有するものに限定されるものではない。
【００５３】
また、前記した各構成、機能、各部１１０〜１１３は、それらの一部又はすべてを、例えば集積回路で設計すること等によりハードウェアで実現してもよい。また、図２に示すように、前記した各構成、機能等は、ＣＰＵ１４０等のプロセッサがそれぞれの機能を実現するプログラムを解釈し、実行することによりソフトウェアで実現してもよい。各機能を実現するプログラム、テーブル、ファイル等の情報は、ＨＤ（Hard Disk）に格納すること以外に、メモリ１１０や、ＳＳＤ（Solid State Drive）等の記録装置、又は、ＩＣ（Integrated Circuit）カードや、ＳＤ（Secure Digital）カード、ＤＶＤ（Digital Versatile Disc）等の記録媒体に格納することができる。
また、各実施形態において、制御線や情報線は説明上必要と考えられるものを示しており、製品上必ずしもすべての制御線や情報線を示しているとは限らない。実際には、ほとんどすべての構成が相互に接続されていると考えてよい。
【符号の説明】
【００５４】
１，１ａ  室外機
２，２ａ〜２ｃ  室内機
３      通信線
４，４ａ〜４ｃ  冷媒配管
１１    室外機用制御装置
２１，２１ａ〜２１ｃ  室内機用制御装置
２２，２２ａ〜２２ｇ  冷媒センサ（検知部）
３１，３１ａ〜３１ｃ  配管監視装置
１１０  メモリ
１１１  制御部
１１２  自己診断処理部
１１３  点検処理部
１２０  点検操作装置
１２１  操作装置（操作部）
１２２  表示装置（表示部）
１３０  通信装置
１４０  ＣＰＵ
１５０，１５０ａ〜１５０ｄ  制御回路
２０１，２０１ａ〜２０１ｄ  表示器（表示部）
２１１，２１１ａ〜２１１ｄ  ボタン（操作部）
２２０  電源ボタン
Ｚ，Ｚａ，Ｚｂ  空気調和機
【図１】
0006655919.tif 000002
【図２】
0006655919.tif 000003
【図３】
0006655919.tif 000004
【図４】
0006655919.tif 000005
【図５】
0006655919.tif 000006
【図６】
0006655919.tif 000007
【図７】
0006655919.tif 000008
【図８】
0006655919.tif 000009
【図９】
0006655919.tif 000010
【図１０】
0006655919.tif 000011